(57)【要約】【課題】特別な設備を必要とすることなしに２種類の異種金属を簡単な作業で容易に密着状態に組み付けることができ、これにより、製造コストを低減できると共に、一方の金属の再利用が可能でランニングコストを低減させることができる水処理具の提供。【解決手段】両有底コイルスプリング１１、１２内に丸棒状の第２金属２の両端部を挿入させ、両有底コイルスプリング１１、１２の開口端側の線材端部を相互に相手方の線材相互間の開き間隔内に沿ってねじ込んで一体化させることにより、イオン化傾向又は／及び電位の異なる２種類の異種金属（第１金属１と第２金属２と）が互いに密着されている構造。【選択図】        図３
2006150302.tif 000002
【特許請求の範囲】
【請求項１】
イオン化傾向又は／及び電位の異なる２種類の異種金属を互いに密着させると共に該２種類の異種金属の接触境界部分が水と接触する状態で露出形成されている構成とすることにより水中において該接触境界部分で局部電池が形成されてイオン化傾向の大きい又は／及び電位の低い方の第２金属２が酸化する際に水中に金属イオンを溶出させて水に所定の機能を付加する水処理具であって、
前記２種類の異種金属のうちの一方の第１金属が所定のばね性を有するコイルスプリング状に形成され、もう一方の第２金属が前記第１金属を構成するコイルスプリング状金属内に挿入されることにより２種類の異種金属が互いに密着されていることを特徴とする水処理具。
【請求項２】
前記第２金属は、前記第１金属を構成するコイルスプリング状金属の内径と同一外径若しくはそれより大径の外径を有する丸棒状に形成されていることを特徴とする請求項１に記載の水処理具。
【請求項３】
前記第２金属は、前記第１金属を構成するコイルスプリング状金属の内径と同一外径若しくはそれより大径の外径を有する円筒状に形成されていることを特徴とする請求項１に記載の水処理具。
【請求項４】
前記第２金属は、前記第１金属を構成するコイルスプリング状金属の内径と同一外径若しくはそれより大径の外径を有する所定本数の線材群で構成されていることを特徴とする請求項１に記載の水処理具。
【請求項５】
前記第１金属を構成するコイルスプリング状金属は、コイルスプリングを構成する線材相互の開き間隔が該線材の直径と略同程度か若しくはそれ以上に形成されると共に一方の端面が底部材で閉じられた構造の一対の有底コイルスプリングで構成され、
該両有底コイルスプリング内に前記第２金属の両端部を挿入させた状態で、両有底コイルスプリングの開口端側の線材端部を相互に相手方の線材相互間の開き間隔内に沿ってねじ込んで一体化させることにより２種類の異種金属が互いに密着されていることを特徴とする請求項１〜４のいずれか１項に記載の水処理具。
【請求項６】
前記底部材がコイルスプリングを構成する線材の端部で構成されていることを特徴とする請求項５に記載の水処理具。
【請求項７】
前記２種類の異種金属のうち少なくともいずれか一方の金属が他の種類の材質よりなる芯材の外面にメッキされていることを特徴とする請求項１〜６のいずれか１項に記載の水処理具。
【発明の詳細な説明】
【技術分野】
【０００１】
本発明は、花瓶や花器、水槽、洗濯機、池、湖、プール、噴水、冷却塔、クーリングタワー、風呂、トイレのロータンク、加湿器、循環水管路、取水口部分等に収容される全ての水の他に、例えば、医科や医療器具等の殺菌洗浄処理に用いられる洗浄水の製造や、金属イオンを添加した木酢液、竹酢液の製造等に適用される水処理具に関する。
【背景技術】
【０００２】
従来のこの種の水処理具として、本件出願人が先に出願した特許願がある（例えば、特許文献１参照）。
即ち、この特許願は、イオン化傾向又は／及び電位の異なる２種類の異種金属を互いに密着させると共に該２種類の異種金属の接触境界部分が水と接触する状態で露出形成されている構成とすることにより水中において該接触境界部分で局部電池が形成されてイオン化傾向の大きい又は／及び電位の低い方の第２金属２が酸化する際に水中に金属イオンを溶出させて水に所定の機能を付加する水処理具であって、２種類の異種金属をメッキやクラッド法により互いに密着させた構造としたものであった。
【０００３】
【特許文献１】特願２００４−２２５４９号公報
【発明の開示】
【発明が解決しようとする課題】
【０００４】
しかしながら、先に出願の水処理具では、２種類の異種金属をメッキやクラッド法により互いに一体化させた構造であったため、異種金属を互いに密着させた状態に組み付ける作業に設備費や手間を要するため製造コストが高くつくと共に、金属イオンが溶出しない（酸化により減少しない）金属の再利用が困難若しくは不可能であり、このため、ランニングコストが高く付くという問題があった。
【０００５】
本発明は、かかる従来の問題点を解決するためになされたものであって、その目的とするところは、特別な設備を必要とすることなしに２種類の異種金属を簡単な作業で容易に密着状態に組み付けることができ、これにより、製造コストを低減できると共に、一方の金属の再利用が可能でランニングコストを低減させることができる水処理具を提供することにある。
【課題を解決するための手段】
【０００６】
前記目的を達成するための手段として、請求項１記載の水処理具は、イオン化傾向又は／及び電位の異なる２種類の異種金属を互いに密着させると共に該２種類の異種金属の接触境界部分が水と接触する状態で露出形成されている構成とすることにより水中において該接触境界部分で局部電池が形成されてイオン化傾向の大きい又は／及び電位の低い方の第２金属２が酸化する際に水中に金属イオンを溶出させて水に所定の機能を付加する水処理具であって、前記２種類の異種金属のうちの一方の第１金属が所定のばね性を有するコイルスプリング状に形成され、もう一方の第２金属が前記第１金属を構成するコイルスプリング状金属内に挿入されることにより２種類の異種金属が互いに密着されていることを特徴とする手段とした。
【０００７】
請求項２記載の水処理具は、請求項１に記載の水処理具において、前記第２金属は、前記第１金属を構成するコイルスプリング状金属の内径と同一外径若しくはそれより大径の外径を有する丸棒状に形成されていることを特徴とする手段とした。
【０００８】
請求項３記載の水処理具は、請求項１に記載の水処理具において、前記第２金属は、前記第１金属を構成するコイルスプリング状金属の内径と同一外径若しくはそれより大径の外径を有する円筒状に形成されていることを特徴とする手段とした。
【０００９】
請求項４記載の水処理具は、請求項１に記載の水処理具において、前記第２金属は、前記第１金属を構成するコイルスプリング状金属の内径と同一外径若しくはそれより大径の外径を有する所定本数の線材群で構成されていることを特徴とする手段とした。
【００１０】
請求項５記載の水処理具は、請求項１〜４のいずれか１項に記載の水処理具において、前記第１金属を構成するコイルスプリング状金属は、コイルスプリングを構成する線材相互の開き間隔が該線材の直径と略同程度か若しくはそれ以上に形成されると共に一方の端面が底部材で閉じられた構造の一対の有底コイルスプリングで構成され、両有底コイルスプリング内に前記第２金属の両端部を挿入させた状態で、両有底コイルスプリングの開口端側の線材端部を相互に相手方の線材相互間の開き間隔内に沿ってねじ込んで一体化させることにより２種類の異種金属が互いに密着されていることを特徴とする手段とした。
【００１１】
請求項６記載の水処理具は、請求項５に記載の水処理具において、前記底部材がコイルスプリングを構成する線材の端部で構成されていることを特徴とする手段とした。
【００１２】
請求項７記載の水処理具は、請求項１〜６のいずれか１項に記載の水処理具において、前記２種類の異種金属のうち少なくともいずれか一方の金属が他の種類の材質よりなる芯材の外面にメッキされていることを特徴とする手段とした。
【発明の効果】
【００１３】
本発明請求項１記載の水処理具では、上述のように、前記２種類の異種金属のうちの一方の第１金属が所定のばね性を有するコイルスプリング状に形成され、もう一方の第２金属が第１金属を構成するコイルスプリング状金属内に挿入されることにより２種類の異種金属が互いに密着されている構成としたことで、第２金属を第１金属を構成するコイルスプリング状金属内に挿入することにより密着状態に組み付けることができる。
また、金属イオンの溶出によりイオン化傾向の大きい又は／及び電位の低い方の第２金属２が減少した場合には、減少した方の金属のみを新しい金属と交換することにより、減少しないイオン化傾向の小さい又は／及び電位の高い方の金属を簡単な付け替え作業によって再利用することができる。
従って、特別な設備を必要とすることなしに２種類の異種金属を簡単な作業で容易に密着状態に組み付けることができ、これにより、製造コストを低減できると共に、一方の金属の再利用が可能でランニングコストを低減させることができるようになるという効果が得られる。
【００１４】
請求項２記載の水処理具では、上述のように、前記第１金属を構成するコイルスプリング状金属の内径と同一外径若しくはそれより大径の外径を有する丸棒状に形成されることにより、コイルスプリング状金属の内周面全体を第２金属に対し密着させることができる。
また、第２金属をコイルスプリング状金属の内径より大径の外径に形成することにより、イオン化傾向の大きい又は／及び電位の低い方の第２金属２が減少しても２種類の異種金属を密着状態に維持させることができ、これにより、金属イオン溶出期間を長くすることができるようになる。
【００１５】
請求項３記載の水処理具では、上述のように、前記第１金属を構成するコイルスプリング状金属の内径と同一外径若しくはそれより大径の外径を有する円筒状に形成されることにより、コイルスプリング状金属の内周面全体を第２金属に対し密着させることができる。
また、第２金属をコイルスプリング状金属の内径より大径の外径に形成することにより、イオン化傾向の大きい又は／及び電位の低い方の第２金属２が減少しても２種類の異種金属を密着状態に維持させることができ、これにより、金属イオン溶出期間を長くすることができるようになる。
さらに，第２金属を円筒状に形成することにより、材料費を低減させることができるようになる。
【００１６】
請求項４記載の水処理具では、上述のように、前記第２金属は、前記第１金属を構成するコイルスプリング状金属の内径と同一外径若しくはそれより大径の外径を有する所定本数の線材群で構成されることにより、第１金属側又は第２金属側が減少してコイルスプリング状金属の内面と第２金属の外面とのの間に隙間ができた時は、線材群を構成する線材の挿入本数を所定本数だけ追加するだけで、２種類の異種金属を密着状態に戻すことができる。
【００１７】
請求項５記載の水処理具では、上述のように、前記第１金属を構成するコイルスプリング状金属は、コイルスプリングを構成する線材相互の開き間隔が該線材の直径と略同程度か若しくはそれ以上に形成されると共に一方の端面が底部材で閉じられた構造の一対の有底コイルスプリングで構成され、両有底コイルスプリング内に第２金属の両端部を挿入させた状態で、両有底コイルスプリングの開口端側の線材端部を相互に相手方の線材相互間の開き間隔内に沿ってねじ込んで一体化させることにより２種類の異種金属が互いに密着されている構成とすることにより、イオン化傾向の大きい又は／及び電位の低い方の第２金属２が減少しても、両金属の分離飛散を防止することができると共に、部分的ではあるが２種類の異種金属の密着状態を維持させることができるようになる。
【００１８】
請求項６記載の水処理具では、上述のように、前記底部材がコイルスプリングを構成する線材の端部で構成されることにより、底部材を別体に製造する必要がなく、これにより、製造コストを低減させることができるようになる。
【００１９】
請求項７記載の水処理具では、上述のように、前記２種類の異種金属のうち少なくともいずれか一方の金属が他の種類の材質よりなる芯材の外面にメッキされている構成とすることにより、金属イオンが溶出して減少するのはイオン化傾向が大きい又は／及び電位の低い方の第２金属２であるため、特にメッキされるイオン化傾向の小さい又は／及び電位の高い方の金属が白金、金、銀等のように高価である場合においては、原価コストの大幅な低減が可能となる。
【発明を実施するための最良の形態】
【００２０】
以下、本発明の実施例を詳細に説明する。
（実施例１）
まず、この実施例１の水処理具の構成を図面に基づいて説明する。
図１はこの実施例１の水処理具を示す正面図、図２は同水処理具の側面図、図３は図１のＡ−Ａ線における横断平面図、図４は同水処理具の組み付け前の状態を示す斜視図である。
【００２１】
即ち、この実施例１の水処理具は、イオン化傾向又は／及び電位の異なる２種類の異種金属を互いに密着させると共に該２種類の異種金属の接触境界部分が水と接触する状態で露出形成されている構成とすることにより水中において該接触境界部分で局部電池が形成されてイオン化傾向の大きい又は／及び電位の低い方の第２金属２が酸化する際に水中に金属イオンを溶出させて水に所定の機能を付加する水処理具であって、第１金属１と第２金属２とで構成されている。
【００２２】
さらに詳述すると、前記第１金属１は、図１、３に示すように、線材相互の開き間隔が該線材の直径と略同程度に形成されると共に、図２に示すように、一方の端面が線材の端部を内側へ折り曲げて形成された底部材１１ａ、１２ａで閉じられた構造の一対の有底コイルスプリング（コイルスプリング状金属）１１、１２で構成されている。
なお、この両有底コイルスプリング１１、１２は、その開口端面側の線材端部を外向きに折曲させた外向き曲げ部１１ｂ、１２ｂが形成されている。
前記第２金属２は、前記第１金属１を構成する有底コイルスプリング１１、１２の内径と同一外径若しくはそれより大径の外径を有する丸棒２１で構成されている。
【００２３】
そして、この実施例１の水処理具は、図４に示す組み付け前の状態から、まず、両有底コイルスプリング１１、１２内に丸棒状の第２金属２の両端部を挿入させ、次いで、この状態から、両有底コイルスプリング１１、１２の開口端側の線材端部を相互に相手方の線材相互間の開き間隔内に沿ってねじ込んで一体化させることにより、図１、３に示すように、イオン化傾向又は／及び電位の異なる２種類の異種金属（第１金属１と第２金属２と）が互いに密着された状態となっている。なお、この実施例１の図４では、両有底コイルスプリング１１、１２を構成する線材相互の開き間隔が該線材の直径よりは広く形成された例を示している。
【００２４】
この実施例１では、第１金属１である有底コイルスプリング１１、１２が鉄（Ｆｅ）で構成され、第２金属２である丸棒２１が鉄（Ｆｅ）よりはイオン化傾向が大きい又は／及び電位の低い金属であるマグネシウム（Ｍｇ）で構成されている。
【００２５】
次に、この実施例１の作用・効果を説明する。
この実施例１の水処理具は、以上のように構成されるため、この水処理具を、処理すべき水中に単に没した状態としておくと、マグネシウム（Ｍｇ）単独でも水中で酸化腐触して金属イオンを溶出するが、マグネシウム（Ｍｇ）単独の場合は酸化皮膜が形成されるため、金属イオンの溶出が停止される。ところが、この実施例１では、２種類の異種金属１、２のうちイオン化傾向の小さい又は電位の高い方の第１金属１である鉄（Ｆｅ）の腐蝕を防止しようとして／及び電位の低い方の第２金属２から高い方の金属へ電子を移動させるイオン化傾向の大きい又は／及び電位の低い方の第２金属２であるマグネシウム（Ｍｇ）の犠牲腐蝕作用により、酸化皮膜が形成されることなしに該イオン化傾向の大きい又は／及び電位の低い方の第２金属２であるマグネシウム（Ｍｇ）からマグネシウムイオンが永続かつ効率的に溶出される。
【００２６】
従って、例えば、この実施例１の水処理具を種々の目的に使用される水道水に適用することにより、マグネシウムイオンが水道水に含まれる遊離塩素と結合して塩化マグネシウム（にがりの成分）に変化させることができるため、塩素による弊害をなくすことができるようになる。
【００２７】
また、この実施例１の水処理具を花瓶や花器等に収容された水に適用することにより、水とマグネシウムイオンの反応で水酸化マグネシウム（ＭｇＯＨ２）と水素（Ｈ２）が生成されると共に、アルカリ還元水になる。
さらに、豊富に水素（Ｈ２）を含むミネラル豊富なマグネシウムイオン水になる。また、このアルカリ還元水は、水の腐敗や悪臭の発生を抑制すると共に、切花等がマグネシウムイオン水を吸い上げることにより、花や葉を鮮やかにする効果が得られ、より美しく延命させることができるようになる。
【００２８】
また、水道水、井戸水、天然水等のあらゆる水に適用することにより、酸化還元電位の低い水（アルカリ還元イオン水）を容易かつ低コストにて作ることができるようになる。
【００２９】
また、マグネシウム（Ｍｇ）から無数の微細な水素の気泡が発生するため、水中に含まれるゴミや不純物をこの無数の微細な気泡と共に水面に上昇させ、これを容易に除去することができるようになる。
【００３０】
また、２種類の異種金属のうちの一方の第１金属１が線材相互の開き間隔が該線材の直径と略同程度に形成されると共に一方の端面が線材の端部を内側へ折り曲げて形成された底部材１１ａ、１２ａで閉じられた構造の一対の有底コイルスプリング１１、１２で構成され、第２金属２は第１金属１を構成する有底コイルスプリング１１、１２の内径と同一外径若しくはそれより大径の外径を有する丸棒２１で構成されることで、両有底コイルスプリング１１、１２内に丸棒状の第２金属２の両端部を挿入させた状態から、両有底コイルスプリング１１、１２の開口端側の線材端部を相互に相手方の線材相互間の開き間隔内に沿ってねじ込んで一体化させることにより、イオン化傾向又は／及び電位の異なる２種類の異種金属（第１金属１と第２金属２と）を互いに密着させた状態に容易に組み付けることができるようになる。
【００３１】
また、マグネシウムイオンの溶出によりイオン化傾向の大きい又は／及び電位の低い方の第２金属２である丸棒２１が減少した場合には、両有底コイルスプリング１１、１２のねじ込み状態を解除させて減少した方の丸棒２１のみを新しい物と交換することにより、減少しないイオン化傾向の小さい又は／及び電位の高い方の第１金属１を簡単な付け替え作業によって再利用することができる。
【００３２】
従って、特別な設備を必要とすることなしに２種類の異種金属を簡単な作業で容易に密着状態に組み付けることができ、これにより、製造コストを低減できると共に、一方の第１金属１の再利用が可能でランニングコストを低減させることができるようになるという効果が得られる。
【００３３】
また、第２金属２である丸棒２１を第１金属１である有底コイルスプリング１１、１２の内径より大径の外径に形成することにより、イオン化傾向の大きい又は／及び電位の低い方の第２金属２が減少しても２種類の異種金属を密着状態に維持させることができ、これにより、金属イオン（マグネシウムイオン）の溶出期間を長くすることができるようになる。
【００３４】
さらに、イオン化傾向の大きい又は／及び電位の低い方の第２金属２である丸棒２１が減少しても、両有底コイルスプリング１１、１２の底部材１１ａ、１２ａにより、両金属の分離飛散を防止することができると共に、部分的ではあるが２種類の異種金属の密着状態を維持させることができるようになる。
【００３５】
また、前記底部材１１ａ、１２ａが有底コイルスプリング１１、１２を構成する線材の端部で構成されることにより、底部材１１ａ、１２ａを別体に製造する必要がなく、これにより、製造コストを低減させることができるようになる。
【００３６】
次に、この発明の他の実施例について説明する。なお、この他の実施例の説明にあたっては、前記実施例１と同様の構成部分についてはその図示を省略し、相違点についてのみ説明する。
（実施例２）
この実施例２の水処理具は、２種類の異種金属のうちイオン化傾向が大きい又は／及び電位の低い方の第２金属２が銀（Ａｇ）で構成される一方、この銀（Ａｇ）よりはイオン化傾向の小さい又は／及び電位の高い第１金属１がカーボン、グラファイト等の炭素（Ｃ）を練り込んだ材料で構成されている点が前記実施例１とは相違したものである。
このように、イオン化傾向が大きい又は／及び電位の低い方の第２金属２である銀（Ａｇ）に対し、イオン化傾向の小さい又は／及び電位の高い方の第１金属１としてイオン化傾向又は／及び電位の差が大きいカーボン、グラファイト等の炭素（Ｃ）を練り込んで表面露出している材料で構成されることにより、電位差による銀イオンの溶出を図るようにしたものであり、木酢液や竹酢液等の溶液に効率よく銀イオンを添加させることができる。
【００３７】
（実施例３）
この実施例３の水処理具は、２種類の異種金属のうち有底コイルスプリング１１、１２で構成される第１金属１が銅（Ｃｕ）で、丸棒２１で構成される第２金属２が銅（Ｃｕ）よりはイオン化傾向の小さい又は／及び電位の高いカーボン、グラファイト等の炭素（Ｃ）を含む材料である構成とした点が前記実施例１、２とは相違したものである。
このように、第１金属１である銅（Ｃｕ）に対し、銅（Ｃｕ）よりはイオン化傾向の小さい又は／及び電位の高いカーボン、グラファイト等の炭素（Ｃ）を含む材料を第２金属２としたことにより、銅（Ｃｕ）で構成される有底コイルスプリング１１、１２から銅イオンが溶出されるもので、この水中に溶出した銅イオンが持つ殺菌作用および殺藻作用により、殺菌および殺藻効果が得られる。
また、水を電解液として炭素と銅との接触境界部分に局部電池が形成され、これにより、優れた殺菌効果を得ることができるようになる。
【００３８】
従って、この実施例３の水処理具を花瓶や花器等に収容された水に適用することにより、花瓶や花器内等の水中における雑菌の繁殖を防止し、水中に没した切り花の茎の腐敗が抑制されると共に、雑菌その他の不純物が切り花等の導管に詰まることで水の吸い上げを悪くして切り花等を早期に枯らすことが抑制され、その結果、切り花等を長期間に亙り生きの良い状態に維持させるという延命機能が発揮される。
【００３９】
また、この発明を風呂の浴槽やプール等に収容される水に適用することにより、レジネオラ菌、大腸菌、緑膿菌、サルモネラ菌等の菌類の増殖を防止することができるようになるし、循環水管路やトイレのロータンク内等に適用することにより、雑菌の繁殖を防止できるようになる。
さらに、水を霧状態で噴出させる超音波式加湿器に適用したり、金属イオン水を噴霧機などで噴霧することにより、銅イオンを含んだ霧を広範囲に散布させることができ、これにより、畜産場、農場、林業、一般住宅、病院内、工場等、任意の場所において各種細菌や病原菌を死滅させることが可能になる。
【００４０】
また、この発明を水槽に適用することにより、透明な水槽壁面につく藻類の発生を防止することができるようになるし、冷却塔やクーリングタワー、および噴水等に適用することにより、藻の付着による定期的な清掃を回避できるようになる。
また、この発明を池、湖、閉鎖期間中のプール等のように流れや入れ替わりのない水に適用することにより、殺藻作用により、あおこの発生を防止することができるようになる。
【００４１】
なお、近年くらげの大量発生により、魚網に入った大量のくらげの処理に苦慮しているが、この実施例１によって銅イオンが溶出された水又は海水に生きたくらげを入れた実験を行ったところ、くらげを死滅させる効果があることが判明した。
【００４２】
（実施例４）
この実施例４の水処理具は、２種類の異種金属のうち有底コイルスプリング１１、１２で構成される第１金属１がコイルスプリングを構成する線材の表面に銀（Ａｇ）がメッキされ、丸棒２１で構成される第２金属２が銀（Ａｇ）よりはイオン化傾向の大きい又は／及び電位の低い銅（Ｃｕ）である構成とした点が前記実施例１〜３とは相違したものである。
このように、第１金属１である銀（Ａｇ）に対し、銀（Ａｇ）よりはイオン化傾向の大きい又は／及び電位の低い銅（Ｃｕ）を第２金属２としたことにより、銅（Ｃｕ）で構成される丸棒２１から銅イオンが溶出されるもので、この水中に溶出した銅イオンが持つ殺菌作用および殺藻作用により、殺菌および殺藻効果が得られる。さらに、銀（Ａｇ）への接触による殺菌効果も期待することができる。
また、イオン化傾向の小さい又は／及び電位の高い方の第２金属２である銀（Ａｇ）をメッキで構成させたことにより、線材として安価な合成樹脂や金属を用いれば、材料コストを大幅に低減させることができるようになる。
【００４３】
（実施例５）
この実施例５の水処理具は、２種類の異種金属のうち有底コイルスプリング１１、１２で構成される第１金属１がコイルスプリングを構成する線材の表面に錫（Ｓｎ）がメッキされ、丸棒２１で構成される第２金属２が錫（Ｓｎ）よりはイオン化傾向の大きい又は／及び電位の低い鉄（Ｆｅ）である構成とした点が前記実施例１〜４とは相違したものである。
このように、第１金属１である錫（Ｓｎ）に対し、錫（Ｓｎ）よりはイオン化傾向の大きい又は／及び電位の低い鉄（Ｆｅ）を第２金属２としたことにより、鉄（Ｆｅ）で構成される丸棒２１から鉄イオンが溶出される。
従って、例えば、この実施例５を川や湖の水、又は海水等に適用することにより、水生動物や水性植物を活性化させることができるようになると共に、鉄イオンが水中の燐と結合して燐酸鉄となり、これにより、水中に含まれる燐による弊害をなくすことができるようになる。
また、イオン化傾向の小さい又は／及び電位の高い方の第２金属２である錫（Ｓｎ）をメッキで構成させたことにより、線材として安価な合成樹脂や金属を用いれば、材料コストを大幅に低減させることができるようになる。
【００４４】
以上本発明の実施例を説明してきたが、本発明は上述の実施例に限られるものではなく、発明の要旨を逸脱しない範囲の設計変更等があっても本発明に含まれる。
例えば、実施例では、イオン化傾向の大きい又は／及び電位の低い方の金属として、マグネシウム（Ｍｇ）、銅（Ｃｕ）、及び、鉄（Ｆｅ）を用いた例を示したが、その他の金属を用いることができ、また、それらの合金を用いることもできる。
【００４５】
例えば、イオン化傾向の大きい又は／及び電位の低い方の金属として、錫（Ｓｎ）を用いることにより、錫イオンを溶出させることができ、この水中に溶出した錫イオンが持つ防腐作用および清浄作用により、防腐および清浄効果が得られる。
従って、この水処理具を花瓶や花器等に収容された水に適用することにより、花瓶や花器内等に収容された水の腐敗が大幅に遅延され、水中に没した切り花の茎の腐敗が抑制されると共に、腐敗による不純物が切り花等の導管に詰まることで水の吸い上げを悪くして切り花等を早期に枯らすことが抑制され、その結果、切り花等を長期間に亙り生きの良い状態に維持させるという延命機能が発揮される。
また、水槽に適用することにより、長期に亙って水をきれいな状態に維持させることができるようになる。
【００４６】
また、イオン化傾向の大きい又は／及び電位の低い方の金属として、アルミニウム（Ａｌ）を用いることにより、アルミニウムイオンを溶出させることができ、この水中に溶出したアルミニウムイオンが持つ凝集沈殿作用により、凝集沈殿効果が得られる。
従って、例えば、アルミニウムイオンを溶出させるこの水処理具と、前記銅イオンを溶出させる実施例３又は実施例４の水処理具とを併用することにより、銅イオンにより殺藻されたあおこをアルミニウムイオンにより凝集させて底部に沈殿させることができるようになる。
【００４７】
また、イオン化傾向の大きい又は／及び電位の低い方の金属として、亜鉛（Ｚｎ）を用いることにより、亜鉛イオンを溶出させることができる。
従って、例えば、この水処理具を飲料水に適用することにより、最近不足がちといわれる亜鉛を容易に摂取することができるようになる。
【００４８】
また、イオン化傾向の小さい又は／及び電位の高い金属としては実施例に例示した金属以外に、チタンやステンレス等、任意の金属を用いることができる。
また、実施例では第２金属２を丸棒状に形成したが、円筒状に形成することにより、第２金属２側の材料費を低減させることができるようになる。
また、第２金属２を、第１金属１を構成する有底コイルスプリング１１、１２の内径と同一外径若しくはそれより大径の外径を有する所定本数の線材群で構成することにより、第１金属１側又は第２金属２側が減少して有底コイルスプリング１１、１２の内面と第２金属２の外面との間に隙間ができた時は、線材群を構成する線材の挿入本数を所定本数だけ追加するだけで、簡単に２種類の異種金属を密着状態に戻すことができるようになる。
【００４９】
また、２種類の異種金属は、芯材の外面にメッキされている構成とすることにより、芯材として安価な鉄等の金属や金属以外の合成樹脂等を用いることができるため、材料コストを低減できるようになる。
【００５０】
また、実施例では、コイルスプリング状金属を一対の有底コイルスプリング１１、１２で構成させたが、一本のコイルスプリングで構成させるようにしてもよい。
また、イオン化傾向又は電位の異なる２種類の異種金属で構成された一対のコイルスプリング内に非金属性芯材の両端部を挿入させた状態で、この両コイルスプリングの開口端側の線材端部を相互に相手方の線材相互間の開き間隔内に沿ってねじ込んで一体化させ、２種類の異種金属が互いに密着されている構成とすることにより、イオン化傾向の大きい又は／及び電位の低い方の金属から金属イオンを溶出させることができる。
また、実施例では、２種類の異種金属で構成させたが、３種類以上の異種金属をそのイオン化傾向または電位の順に互いに接触させた状態とすることにより、金属イオンの溶出速度を速めることができるようになる。例えば、大径の第１コイルスプリングの内側に小径の第２コイルスプリングをねじ込むことにより、第１、第２両コイルスプリング同士を互いに密着させると共に、小径の第２コイルスプリング内に棒状または筒状の第３金属を挿入させて該第３金属と第２コイルスプリングとを互いに密着させた構造とする。
【００５１】
また、イオン化傾向又は電位の異なる２種類の異種金属で構成された口径の異なる一対のコイルスプリングの一方を、もう一方のコイルスプリング内若しくは外側の螺旋状溝内に沿ってねじ込んで一体化させ、２種類の異種金属が互いに密着されている構成とすることにより、イオン化傾向の大きい又は／及び電位の低い方の金属から金属イオンを溶出させることができる。
また、底部材１１ａ、１２ａの形状は任意であり、また、別体に形成するようにしてもよい。
【００５２】
また、両有底コイルスプリング１１、１２をそのバネ性に抗して互いに強めにねじ込んでおくことにより、第２金属２の両端面が消耗しても互いに引き伸ばされた両有底コイルスプリング１１、１２の反発力により、第２金属２の両端面に対する底部材１１ａ、１２ａの密着状態を長期に亘り維持させることができるようになる。
【００５３】
また、イオン化傾向の大きい又は／及び電位の低い方の金属も合金を用いることができる。
また、２種類の金属を、炭素とチタンの組み合わせとすることにより、水を電解液として炭素とチタンとの接触境界部分に局部電池が形成され、これにより、優れた殺菌効果を得ることができるようになる。
【図面の簡単な説明】
【００５４】
【図１】本発明実施例１の水処理具を示す正面図である。
【図２】本発明実施例１の水処理具を示す側面図である。
【図３】図１のＡ−Ａ線における横断平面図である。
【図４】本発明実施例１の水処理具の組み付け前の状態を示す斜視図である。
【００５５】
１  第１金属
１１  有底コイルスプリング（コイルスプリング状金属）
１１ａ  底部材
１１ｂ  外向き曲げ部
１２  有底コイルスプリング（コイルスプリング状金属）
１２ａ  底部材
１２ｂ  外向き曲げ部
２  第２金属
２１  丸棒
【図１】
2006150302.tif 000003
【図２】
2006150302.tif 000004
【図３】
2006150302.tif 000005
【図４】
2006150302.tif 000006